(57)【要約】【課題】遊技機を遊技機島に取付けるにあたり、遊技機に備えられた装着枠の上面を押圧して取付けする場合、装着枠の上面と遊技機島の上架板の間の間隙は僅かであるため、この上架板に穴を穿けるかもしくは後端部を切欠いて押圧部材を通過させる必要があり、工事が困難で、また遊技機島の構造強度が損なわれる原因となっていた。【解決手段】遊技機の装着枠の上面と遊技機島の上架板との設計上の間隔は３ミリ〜４ミリが一般的であり、この間隙に弾性板よりなる押圧板を配置して、この押圧板の後端側を支点として前端部を降下して装着枠の上面を押圧して遊技機を遊技機島に取付けする。【選択図】図５
2012254268.tif 000002
【特許請求の範囲】
【請求項１】
遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下する押圧手段と、遊技機の装着枠の枠上板の後端部に当接して遊技機の後方への移動を規制する規制手段とで構成し、押圧手段を操作して押圧板で遊技機の装着枠の枠上板を押圧して遊技機を遊技機島に固定することを特徴とする遊技機の取付け装置。
【請求項２】
上記の押圧板は、弾性板としたことを特徴とする請求項１に記載の遊技機の取付け装置。
【請求項３】
上記の押圧板は、押圧面に滑り止めを設けたことを特徴とする請求項１と請求項２に記載の遊技機の取付け装置。
【請求項４】
上記の押圧板は、先端部の下面をテーパー状としたことを特徴とする請求項１と請求項２および請求項３に記載の遊技機の取付け装置。
【請求項５】
上記の押圧手段は、上下位置調整手段を介在して押圧板に接続し、押圧板は遊技機島の上架板と遊技機の装着枠の枠上板との間隙内で上下位置を調整自在としたことを特徴とする請求項１に記載の遊技機の取付け装置。
【請求項６】
上記の押圧板は、先端部を遊技機島の上架板の下面に弾機的に当接した状態で、遊技機の遊技機島への取付けの待機をするようにしたことを特徴とする請求項１と請求項２と請求項４および請求項５に記載の遊技機の取付け装置。
【請求項７】
遊技機島の上架板の下面において、上記待機状態の押圧板との対応個所に押圧板を収容する凹部を形成したことを特徴とする請求項６に記載の遊技機の取付け装置。
【請求項８】
上記の押圧手段は、遊技機島の上架板の上面に固定したケース本体と、ケース本体に回転支点部を枢着し下端部を上下位置調整手段を介して押圧板の後端部に接続したリンク部材と、ケース本体に回転自在に立設しリンク部材の他端部と係合するナット部材を螺合し下端部に操作部を形成した操作ボルトとで構成し、この操作ボルトの操作部を回転して押圧板の先端部を降下して遊技機を遊技機島に固定することを特徴とする請求項１に記載の遊技機の取付け装置。
【請求項９】
上記の押圧手段は、遊技機島の上架板の上面に固定したケース本体と、ケース本体に立て向きとして回転支点部を枢着し下端部を上下位置調整手段を介して押圧板の後端部に接続したリンク部材と、ケース本体に設けたナットに螺合し先端部でリンク部材の上端部を押圧板の前端方向に押圧移動する押しボルトと、この押しボルトの先端部にリンク部材の上端部を介して対向した弾機手段とで構成し、押しボルトの後端に設けた操作部を回転して押圧板の先端部を降下して遊技機を遊技機島に固定することを特徴とする請求項１に記載の遊技機の取付け装置。
【請求項１０】
上記の規制手段は、遊技機の前後方向に移動自在として遊技機の傾きを調節できるようにしたことを特徴とする請求項１に記載の遊技機の取り付け装置。
【発明の詳細な説明】
【技術分野】
【０００１】  この発明は、パチンコ台などの遊技機を遊技機島に取付ける遊技機の取付け装置に関する。
【背景技術】
【０００２】  パチンコ台などの遊技機１は、図２で示したように裏側に設けた矩形の装着枠２にヒンジ構造３によって開閉自在および取外し自在に取付けられており、遊技機１を図１で示した遊技機島４に取付ける場合、装着枠２を外して遊技機島４の上架板５と下架板６と縦部材７とで形成された区画Ｃ内に配置し、この装着枠２の枠上板８と枠下板を９をビス等で止着したり、専用の取り付け器具で固定した状態で遊技機１をヒンジ構造３を介して装着枠２に取付け、遊技機１を遊技機島４に閉じて使用に供する。【０００３】  上記の遊技機の取付け作業は、営業時間の終了後の深夜に行われるものであるため短時間でできることが望ましいものであるが、遊技機より装着枠を外し、装着枠を遊技機島に取付け、そしてこの装着枠に遊技機を取付けるような煩雑な作業は短時間ではできなかった。また遊技機の装着枠の取付けはビス等で止着するか、もしくは専用の取付け器具によって行われ、ビス等で止着する場合は遊技機島を損傷して確実に固定されない場合があり、専用の取り付け器具を利用した場合は装着枠の枠上板を下側より挟んだり、また枠上板の前後端を挟み込んだりするものであり、遊技機の高重量（２０ｋｇ程度以上）に起因して緩みやガタ付きが生じ易く遊技機の固定に信頼性がなかった【０００４】  これらの問題点を解消するために、遊技機を遊技機島に取付けるにあたり、装着枠に遊技機が装着された一体の状態で区画に配置して、遊技機島の上架板の上方から押圧部材で装着枠の枠上板を押圧して固定する装置が提案されている。（特許文献１、特許文献２、特許文献３、特許文献４）また、装着枠は遊技機より取外し分離して取付けをするが取付けにビス等を使用しないものとして（特許文献５）が提案されている。【０００５】  上記の押圧部材で、遊技機島の上架板の上方から装着枠の枠上板を押圧して固定する場合、現実店舗での遊技機島に於いては木製の上架板を通過させるための通過穴を加工形成しなければならない。（特許文献３）また、遊技機の性能を確認するテスト島に於いては、上架板を必要としない場合と、営業店舗の遊技機島と同様に上架板を設けている場合があり、後者は営業店舗と同様に上架板に通過穴を形成する必要がある。（特許文献２、特許文献４）【０００６】  遊技機島の上架板を金属製として、遊技機の取り付け装置を遊技機島の設計段階で織り込んだ場合に於いても押圧部材の通過穴は同様に必要となる。（特許文献１）また、押圧部材を上架板に通過させるには、上架板の後端部を切欠加工することも考慮できる（特許文献５）
【先行技術文献】
【特許文献】
【０００７】
【特許文献１】特許第２５２８０４６号（図６）
【特許文献２】特許第４４９１３８３号（図４、図６）
【特許文献３】特許第４５１４１５８号（図１２）
【特許文献４】特開２００９−１６５７５９号（請求項１、図７）
【特許文献５】特開２００６−３１４６５３号（図８）
【発明の概要】
【発明が解決しようとする課題】
【０００８】  この発明が解決しようとする課題は、遊技機島の上架板に穴や切り欠き等の加工をしなくとも、押圧部材で遊技機の枠上板を押圧して遊技機を遊技機島に堅固に取付けることにある。遊技機島の上架板は、特別に設計変更する以外は厚み２０ミリ前後、取付け有効巾７０ミリ〜８０ミリと規格化されており、また、押圧部材は遊技機の装着枠が動かないように押圧するにはある程度の接触面積を必要とするため、結果として通過穴や切欠きの範囲が大きくなり上架板の強度、ひいては遊技機島の強度を損なう原因となっている。これらの加工も特に営業中の店舗で行う場合は工事の難度が増加して工事がコスト高になっていた。【０００９】  また、遊技機島の上架板の後端を切り欠いて、この切り欠き内に押圧部材が通過するようにした場合、遊技機の装着枠の枠上板の前後巾の規格寸法は最大７０ミリ、最小で５０ミリ程度で巾の狭い場合は枠上板の後端は２０ミリ前側となり、この巾の狭い場合の枠上板を確実に固定するには遊技機島の上架板の切り欠きは通常よりさらに前側に切り欠く必要がある。遊技機島の上架板の取付け有効部（板水平の箇所）は前述のように後端より７０ミリ〜８０ミリで規格化されているので、上記の切り欠きは上架板の巾の半分もしくはそれ以上となり、遊技機島全体の強度劣化の原因となる。（特許文献５）【００１０】  また、遊技機島の上架板の下面と遊技機の装着枠の枠上板の上面との間隙は、遊技機の重量等の原因で設計時の基準間隙の３ミリより広がる範囲でバラツキがあり、押圧部材の押圧時の下死点の高さを一定とした装置では、装着枠の枠上板が同じ力で押圧されないので遊技機の取付け状態が一定とならず取付け不良の原因となっている。また、下死点の高さ調整ができる装置を設けた場合、間隙の大小で一台ごとに調整しなければならず取付け作業に時間がかかる。（特許文献２）（特許文献３）（特許文献４）【００１１】  また、遊技機の装着枠の枠上板は、木もしくは比較的薄い厚みの金属であるので、上面を押圧して固定する場合撓んで固定状態が不安定になり、極端な場合は枠上板の下面に支持部材を設けるものもあった。これを防ぐには枠上板の左右の端箇所の枠縦板の上端を押すことができればこの問題は解決できる。しかし装置自体の巾に比較して押圧部材の巾は前述のように制限があるので、該箇所を押圧することは難しくさらに取付け装置の上記の取り付け箇所に障害物がある場合はできないものであった。【００１２】  また、従来の押圧部材の通過穴や切り欠きは前記の遊技機島の強度が劣化するため、大きく形成できないので押圧面も小さな面積に限定され、結果として装着枠の固定力が弱いので木製の被押圧面に喰い込む突起を形成している。この突起は装着枠が金属製の場合は喰い込むことができないので、装着枠の固定状態の信頼性が劣る。【００１３】  また、押圧部材が弾機的に装着枠の枠上板を押圧するのではなく、押圧位置が固定している装置では、遊技機島に遊技機が長期間取付けられたままの場合、装着枠の撓みや遊技機自体の振動等で遊技機の取付けが緩み、点検時の開閉で遊技機島から外れる場合がある。【００１４】  また、遊技機を遊技機島に取付ける場合、装着枠の後端を規制部材に押し付けて行わな���と入れ替え前の遊技機の傾きと同様の傾きにならないため、取付けにあたっては遊技機の前面の上部を押付けながら行う必要があり一人で行う作業としては無理があった。
【課題を解決するための手段】
【００１５】この発明によれば、遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下して装着枠の枠上板を押圧する押圧手段と、遊技機の装着枠の枠上板の後端部に当接して遊技機の後方への移動を規制する規制手段とで構成し、押圧手段を操作して押圧板で遊技機の装着枠の枠上板を押圧して遊技機を遊技機島に固定する遊技機の取付け装置を提供した。【００１６】  上記の押圧板は、弾性板とした。【００１７】  上記の押圧板は、押圧面に滑り止めを設けた。【００１８】  上記の押圧板は、先端部の下面をテーパー状とした。【００１９】  上記の押圧手段は、上下位置調整手段を介在して押圧板に接続し、押圧板は遊技機島の上架板と遊技機の装着枠の枠上板との間隙内で上下位置を調整自在とした。【００２０】  上記の押圧板は、先端部を遊技機島の上架板の下面に弾機的に当接した状態で、遊技機の遊技機島への取付けの待機をするようにした。【００２１】  遊技機島の上架板の下面において、上記待機状態の押圧板との対応個所に押圧板を収容する凹部を形成した。【００２２】  上記の押圧手段は、遊技機島の上架板の上面に固定したケース本体と、ケース本体に回転支点部を枢着し下端部を上下位置調整手段を介して押圧板の後端部に接続したリンク部材と、ケース本体に回転自在に立設しリンク部材の他端部と係合するナット部材を螺合し下端部に操作部を形成した操作ボルトとで構成し、この操作ボルトの操作部を回転して押圧板の先端部を降下して遊技機を遊技機島に固定するようにした。【００２３】  上記の押圧手段は、遊技機島の上架板の上面に固定したケース本体と、ケース本体に立て向きとして回転支点部を枢着し下端部を上下位置調整手段を介して押圧板の後端部に接続したリンク部材と、ケース本体に設けたナットに螺合し先端部でリンク部材の上端部を押圧板の前端方向に押圧移動する押しボルトと、この押しボルトの先端部にリンク部材の上端部を介して対向した弾機手段とで構成し、押しボルトの後端に設けた操作部を回転して押圧板の先端部を降下して遊技機を遊技機島に固定するようにした。【００２４】  上記の規制手段は、遊技機の前後方向に移動自在として遊技機の傾きを調節できるようにした。【００２５】  以上の解決手段によって上記の課題が解決される。
【発明の効果】
【００２６】  この発明は、上記のように構成したので遊技機島の上架板と遊技機の装着枠の枠上板との間隙内に設けた押圧板が、この先端部から順次に遊技機の装着枠の枠上板を押圧して遊技機を遊技機島に堅固に取付けるので、遊技機島の上架板に押圧部材が移動する通過穴や切り欠きを形成することがなく、遊技機島の上架板の強度の減少や遊技機島の上架板の加工等を原因とする装置自体の取付け作業の難度が解消できる。【００２７】  また、装着枠の枠上板に対する押圧面積が、従来のように遊技機島の上架板の穴や切り欠きの大きさで制限されないので、押圧板を大面積で形成して押圧力を強くでき、特に装着枠の枠上板の左右の端に対応する遊技機島への該装置の取付け箇所に障害物があっても押圧板の巾を広くすることで枠上板の枠縦板との対応箇所を押圧することができ枠上板の撓み等の問題に関係なく堅固に固定できる。
また、押圧板は弾性作用によって遊技機島の上架板と遊技機の装着枠の枠上板との間隙の大小に関係なく枠上板を押圧するので遊技機は遊技機島に堅固に固定され、上記の間隙量に変化が生じても固定状態に影響を受けない。また、遊技機を長期間取付けたままの状態に起因する装着枠の撓みや、遊技機自体の振動による取付け箇所の緩み等は押圧板の弾性によって吸収するので、遊技機は長期間取付けたままでも開閉時に外れたりすることがない。【００２８】  また、押圧板は下面に設けた滑り止めによって上記の弾性作用との相乗効果で、装着枠が金属性の場合においても木製と同様に堅固に固定することができる。【００２９】  また、押圧板は遊技機島の上架板と装着枠の枠上板との間隙内で上下に移動できるようにしたので、上架板の厚みや上記の間隙の大小に対応させて上下に移動することで枠上板を一定の押圧力で押圧でき、枠上板の厚みや間隙の大小で遊技機の固定状態に影響を及ぼさない。【００３０】  また、押圧板は先端部の下面をテーパー状とし、装着枠の取付け待機時には上記のように遊技機島の上架板の下面に上げて先端部を弾機的に当接する状態としたので、装着枠の装着時、即ち遊技機の取付け時に押圧板が装着枠の装着の邪魔となることが無く、且つ装着枠は固定前の段階で仮止めの作用が営まれる。【００３１】  また、遊技機島の上架板の下面で押圧板との対応個所に押圧板を収容する凹部を形成した場合は、押圧板の上記の待機状態において押圧板をこの凹部に収容することで、遊技機島の上架板と装着枠の枠上板との間隙が狭くとも装着枠の装着に支障をきたすことがない。【００３２】  また、押圧板は押圧手段で遊技機の装着枠の枠上板の後端側を支点として先端部を降下して装着枠の枠上板を押圧するので、枠上板は遊技機島の下架板方向に押圧されて固定される過程で、枠上板の後端部方向にも押圧されて後端部を規制手段で位置決めされる。よって遊技機は遊技機島への取付け作業において、前面の上部を後方へ押し付けて行うような無理な作業をすることが無く、遊技機の傾きも入れ替え前の遊技機と略同様の傾きとして取付けすることができる。【００３３】  また、押圧板は螺子を利用した押圧手段で所定の圧力にいたるまで枠上板を連続的に押圧するので、遊技機島の上架板と装着枠の枠上板の間隙の距離に関係無く装着枠を堅固に固定することができる。【００３４】  また、押圧手段の操作部を遊技機島の上架板の下方向に設けた場合は、上架板の後端と他の機器類との設置間隔が狭い場合でも操作に支障をきたすことがない。【００３５】  また、上架板の後端個所が押圧操作するに充分な余地が有る場合は、押圧手段の操作部を該個所に設けることができる。【００３６】  また、遊技機の取り付けにあたり規制手段によって遊技機の傾きを調整することができる。
【図面の簡単な説明】
【００３７】
【図１】この発明の一実施例を示す遊技機島の正面図
【図２】遊技機と装着枠の開閉状態を示す斜視図
【図３】図１のＡ−Ａ線に沿う遊技機の取付け装置を設置した遊技機島の断面図
【図４】同上、遊技機の取り付け装置の側面図
【図５】遊技機の取り付け装置の押圧手段の動作を示す側面図
【図６】図４のＢ−Ｂ線に沿う断面図
【図７】図４のＣ−Ｃ線に沿う断面図
【図８】遊技機の取り付け装置の分解図
【図９】上下位置調整手段の動作状態を示す断面図
【図１０】押圧板の待機状態を示す断面図
【図１１】押圧板の待機状態を示す断面図
【図１２】図１１のＤ−Ｄ線に沿う断面図
【図１３】押圧板の押圧状態を示す断面図
【図１４】装着枠の取付け状態を示す背面図
【図１５】同上、他の実施例を示す背面図
【図１６】装着枠の枠下板の取付け装置を示す側面図
【図１７】同上、他の実施例図
【図１８】同上、他の実施例図
【図１９】遊技機の取付け装置の他の実施例図
【図２０】図１９のＥ−Ｅ線に沿う断面図
【発明を実施するための形態】
【００３８】  この発明を図面に基づいて説明する。
【００３９】  この発明の遊技機の取付け装置Ａは図１で示した遊技機島４の区画Ｃに対応し左右一対として上架板５に取付けられている。遊技機島４はこの上架板５と下架板６と通常サンドと称する玉供給用のケース等を含む縦部材７で区画Ｃが形成されている。この区画Ｃに遊技機１が配置されて使用に供する。
【００４０】  遊技機１は図２で示したように装着枠２がヒンジ構造３を介して機体の裏側に閉じた状態で上記の区画Ｃ内に取付けられる。区画Ｃ内に配置された遊技機１は図３で示したように装着枠２の枠下板９が下架板６上に載置され且つ、枠上板８が上架板５の下方で適宜な間隙Ｂを保持して対向するようにして装着枠２が取付けられ、結果として遊技機１が遊技機島４に開閉自在として取付けられる。
【００４１】  この発明の取付け装置Ａは装着枠２の上部の取付け、即ち枠上板８に対する取付け装置に関するもので、一方、枠下板９の取付けは、釘やビスもしくは図１６に示した螺子による取付け装置（特開２０１１−２４９７９）または図１７で示したトグルクランプによる取付け装置（特開２００９−１４８４８６）等、枠下板９の取付け手段は特に限定するものではない。また、この取付け装置Ａは枠上板８を下方に押圧して固定するものであるので、枠上板８の取付けにおいて枠下板９も同様に下架板６を押圧して固定されるので上記のような固定手段を利用しなくとも堅固に固定される。図１８は枠下板９の後端の位置決めをする位置決め装置１０を示し、この位置決め装置によって枠下板９の後方への移動を制限して設置位置を決定する。また、下架板６上にゴムや凸凹状の滑り止め（図示せず）を設けて固定を一層堅固にする手段も考えられる。
【００４２】  位置決め装置１０は、遊技機島４の下架板６に止着されネジ１１でナット１２を内部に固着したケース１３と、このナット１２に螺合した径大な頭部を有する位置決めボルト１４とで構成している。ナット１５を弛めて位置決めボルト１４の頭部の位置を移動して装着枠２の枠下板９の前後の位置を決定しナット１５を締めて弛み防止を計る。一般的には枠下板９の位置は一度決定すれば変えることがないのでこれ以降は操作する必要がない。
【００４３】  上架板５と枠上板８の間隙Ｂは装着枠２が自在に出入りできるように設計上３ｍｍ程度の間隔が保たれており、この取り付け装置Ａは上記の間隙Ｂ内に押圧板１６を配置してこの枠上板８の上面を押圧して装着枠２を固定するものである。しかしながら押圧板１６は装着枠２の出入りの邪魔にならない１ｍｍから２ｍｍ程度の厚みに限定される上に、押圧板１６を単に水平降下させて枠上板８を押圧したとしても、押圧板１６の先端部が枠上板８の上面より上方に反り上がり後端部のみが枠上板８の後端部上面を押圧することになる。この不安定な取付け状態では高重量の遊技機１を堅固に固定することはできないので、点検等で遊技機１を前方に開いた場合、遊技機１の左側上部の取付け部に全体の荷重が掛かると、枠上板８の上面の前側が押圧板１６で押圧されていないため前方に動いて遊技機１は脱落する。
【００４４】  また、枠上板８の規格巾は７０ｍｍであるが特殊な場合は５０ｍｍ程度の物もあり、枠上板８は前端の位置を基準として取り付けられるため巾が狭い場合、押圧板１６は先端部の上方に反り上がった個所のみで押圧することになり遊技機１の固定状態は尚一層悪くなる。この取付け装置Ａは上記の観点より押圧板１６をこの後端側を支点として先端側を降下させて押圧板１６の先端部で枠上板８の前側の上面を押圧するようにして上記の問題を解決したものである。
【００４５】  図３より図８で示した取付け装置Ａは、遊技機島４の上架板５と装着枠２の枠上板８との間隙Ｂ内に設けた押圧板１６と、上下位置調整手段１７を介して押圧板１６を設けた押圧手段１８と、規制手段１９とで構成している。
【００４６】  押圧板１６は、鉄板のＳＫ材を焼き入れしたバネ板等のバネ作用を有する弾性板であり、下面の押圧面２０にゴム等の焼付けや凹凸の滑り止め塗装や滑り止め作用を有する滑り止めテープを貼る等の手段で滑り止め２１を設け、この下面の先端部をテーパー状２２としている。
【００４７】  上記の押圧手段１８は、ケース本体２３に回転支点部を枢着した逆Ｌ型のリンク部材２４と、このリンク部材２４の下端側に設けられ押圧板１６を接続する上下位置調整手段１７と、リンク部材２４の他端に係合したナット部材２６およびこのナット部材２６に螺合した操作ボルト２７とで構成している。
【００４８】  押圧板１６は図８に示したように、後端部２８の上面に取付け金具２９を止着している。取付け金具２９は透穴３０を形成した凸形状の頂部の下面にナット３１を固着し、基底部３２に螺子穴３３と押圧板１６の取付け穴３４によって螺子３５で押圧板１６に止着している。
【００４９】  リンク部材２４は左右一対の腕部３７と、この下端側に一体で設けた上記の取付け金具２９を上下方向スライド自在に収容する収容部３６とで構成している。収容部３６の内部には下端に６角穴３８を備えた調整螺子３９が回転自在に設けられている。調整螺子３９は上部の径小部４０を収容部３６の天板４１の軸穴４２に挿通して突出端にワッシャー４３を介してピン穴４４にピン４５を止着して回転自在としている。
【００５０】  取付け金具２９を上記の収容部３６内に入れて調整螺子３９の下端の６角穴３８を押圧板１６の穴４６より６角レンチで回し、調整螺子３９に取付け金具２９のナット３１に螺合すると取付け金具２９は収容部３６内で回転を規制されて止着している押圧板１６を上昇し逆回転で下降する。押圧板１６は上記の構成による上下位置調整手段１７によってリンク部材２４の下端に接続される。
【００５１】  ケース本体２３の内部には両側にカム４７を一体に形成したナット部材２６を螺合した操作ボルト２７が回転自在に設けられている。ナット部材２６のカム４７はケース本体２３の左右の案内溝４８内に移動自在として架設されている。操作ボルト２７は上端部に形成した径小な空転部４９をケース本体２３の天井部の軸穴５０に配置し、後端の径小部５１をケース本体２３の内部下側に止着した支持板５２の軸穴５３に挿通してケース本体２３内で回転自在に立設されている。操作ボルト２７は径小部５１より連続して形成した６角の操作部５４をレンチ等で回すとナット部材２６はカム４７が案内溝４８によって回転を規制されるのでケース本体２３の上下方向に移動する。支持板５２は左右の取付け部５５とケース本体２３との双方の止着穴５６および止着穴５７に径大な頭部を有する支軸５８を挿通して本体ケース２３よりの突出端のピン穴５９にピン６０を嵌入して本体ケース２３内に止着されている。
【００５２】  リンク部材２４は一対の腕板３７をケース本体２３の外側に配置して収容部３６の他端に形成したカム溝６１にナット部材２６のカム４７を係合し、回転支点部の支点穴６２とケース本体２３の軸穴６３に支軸６４を挿通してこの突出端のピン穴６５にピン６６を嵌入してケース本体２３に取付けられている。
上記の操作ボルト２７の操作部５４を回すとナット部材２６の移動にともなってリンク部材２４の下端部に接続した押圧板１６は接続個所となる後端側を支点として先端部が降下もしくは上昇する。
【００５３】  ケース本体２３は、下端部の水平取付け部６７を上架板５上に配置し、一体の垂下片６８が上架板５の後端に当接した状態で、上架板５の下側より先端に螺子形成機能を有するビス６９で上架板５を貫通しさらに水平取付け部６７の止着穴７０に螺子を切りながら貫通してケース本体２３を堅固に固定する。
【００５４】  規制手段１９は、支持板５２の一側に曲折形成した案内板７１と、この案内板７１に上下移動自在として止着した規制板７２および規制板７２に螺合した規制ボルト７３とで構成している。規制板７２はボルト７４を固着し案内板７１の長穴９３にボルト７４を挿通してナット７５によって上下位置を固定する。規制板７２は上下移動にあたり曲接部７６が案内板７１の外縁に係合して移動案内する。規制板７２の下端後側には規制ボルト７３を螺合するナット７７が止着している。規制ボルト７３を回して枠上板８の後端に径大な頭部７９を当接して枠上板８の位置決めをし、螺合したナット７８を締めて固定する。
【００５５】  上記の取付け装置Ａによって遊技機１を取付けるには、操作部５４を回して押圧板１６を図９で示したように間隙Ｂ内で水平の姿勢とし、ついで押圧板１６の下側より調整螺子３９を回して上架板５の下面方向に上昇させる。このさい押圧板１６は図１０で示したように上架板５の下面より多少の間隙Ｄを保持して上下の位置決めをし、次いで操作部５４を押圧板１６の先端部が上昇する向きに回転してこの先端部を上架板５の下面に押圧当接する。押圧板１６は先端部の下面をテーパー状２２としているので、上記の待機状態で遊技機島４の区画Ｃに遊技機１の装着枠２が導入される際に枠上板８が押圧板１６の先端に当たってもテーパー状２２の案内で衝突することが無く、また押圧板１６は弾機作用で上架板５の下面に当接しているので先端部が下がって導入の障害となることが無い。
【００５６】  次に遊技機１を装着枠２が備え、且つ遊技機１に閉じた状態で区画Ｃ内に導入する。この際に枠上板８は後端を規制ボルト７３の頭部７９に当接して後方の移動を規制される。規制ボルト７３は枠上板８の上下位置に対応してナット７５を緩めて上下位置を調整する。遊技機１は上部が後方に傾いた姿勢で遊技機島４に取付けられるものであり、この傾きは規制ボルト７３を回して事前に設定する。
【００５７】  上記の遊技機１の区画Ｃへの導入にあたり、枠下板９も同様にして位置決め装置１０で位置決めが行われる。
【００５８】  次に操作部５４を押圧板１６の先端部が下降する向きに回して、図１３で示したように押圧板１６の下面で先端部より順次に枠上板８を押圧して装着枠２を堅固に固定する。この時、押圧板１６の先端部は後方に移動しながら枠上板８を降下押圧するので枠上板８は同様に規制手段１９の規制ボルト７３の頭部７９を押し付けて位置決めされる。操作部５４は電動ドライバーもしくは手動レンチ等で操作するが、締め付けトルクを設定することで装着枠２の固定力を一定とすることができる。
【００５９】  遊技機１を取外す場合は、操作部５４を上記と逆向きに回して押圧板１６の先端部を前述の待機姿勢にまで上昇して取外しに供する。
【００６０】  また、押圧板１６は下面の滑り止め２１によって装着枠２の上面を堅固に固定するものであるが、上面が金属面である場合、該箇所にアルミテープや両面粘着テープもしくは滑り止めテープを貼り付けることで、固定状態を尚一層堅固にすることができる。
【００６１】  上記の遊技機の取付け操作は遊技機１を区画Ｃに収容した状態で遊技機１を前方へ開き、装着枠２の枠上板８と枠下板９を後方へ押し付けて前後の位置がズレないようにして行うものであるが、遊技機１より装着枠２を外し、装着枠２を先に取付けてこの取付け後に装着枠２に遊技機１を装着してもよい。この時、図１０で示したように押圧板１６は下面が後方へ降下した状態で待機しているので、枠上板８はこの降下個所に係合して仮止め作用が営まれ、取付け操作時に装着枠２を後方へ押し付ける必要がない。
【００６２】  図１１および図１２は、遊技機島４の上架板５と装着枠２の枠上板８との間隙Ｂが極端に狭い場合を例示し、上架板５の下面の押圧板１６との対応個所に押圧板１６を収容する凹部８０を形成して、押圧板１６を待機状態でこの凹部８０に収容するようにして装着枠２の干渉を防止する。
【００６３】  図１４および図１５は押圧板１６の押圧個所を示している。この取付け装置Ａは装着枠２の枠上板８の左右の２個所を上方より押圧して固定するが、図１４で示したように枠上板８の左右の枠縦板９２、即ち左右の端の個所を押圧することで枠上板８の撓み等の影響を受けず堅固に固定することができる。従来の取付け装置では前述のように押圧部材は装置の直下にのみ設けられており、また、上架板５の上部は区画Ｃと同様個所に補強仕切りが立設しているので枠縦板９２の真上に取付け装置を設置することは装置の巾に制限があり現実にはできない。この取り付け装置Ａでは押圧板１６の巾を可変することで取付け位置に制限されずに枠縦板９２の真上より押圧することができる。
【００６４】  図１５は取付け装置Ａの設置位置に障害物Ｅがある場合の設置手段を例示している。従来の取付け装置ではこのような場合、障害物を撤去するか木製の場合は切削等をする必要があるが、この取り付け装置Ａでは押圧板１６の巾を装置の中心より枠縦板９２方向に延長して枠縦板９２の真上を押圧するようにしている。また、枠上板８の後端に当接する規制ボルト７３の頭部７９の位置を変える必要がある場合、支持板５２は案内版７１を左右に一対として形成して図１５で示した他方の案内板７１ａに規制板７２を装着して同様に行うことができる。
【００６５】  図１９および図２０は押圧手段１８の他の実施例を示している。押圧板１６に接続した上下位置調整手段１７を備えたリンク部材８１は、ケース本体８２の内部で縦向きに設けられ支軸８３で回転支点部を枢着され、上端部には押しボルト８４の先端が当接している。押しボルト８４はケース本体８２に固着したナット８５に螺合して後端に備えた回転ノブ等の操作部８６を回してリンク部材８１の上端部を前後に移動し、押圧板１６の先端部を降下もしくは上昇させて前述と同様にして遊技機１の取付けが行われる。８７はリンク部材８１の上端部を介して押しボルト８４の先端部に対向して設けた弾機手段を示している。
【００６６】  この弾機手段８７は、ケース本体８２にビス８８で止着した支持板８９と、支持板８９の垂下部に止着されコイルバネ９０を装着したピン９１とで構成している。コイルバネ９０は操作部８６の回転操作において押しボルト８４の前進移動に弾機的に抗してリンク部材８１の上端部を支え、後退移動には弾機的に付勢して押圧板１６の先端部を上昇する。この押圧手段１８は上架板５の後端方向に操作スペースがある場合は有効に利用でき、操作部８６は６角形状として同様のレンチ等で操作するようにしても良い。
【００６７】
【産業上の利用可能性】
【００６８】  この発明の遊技機の取付け装置はパチンコ台の取付け以外にスロットマシーンの取付けにおいても同様に利用できる。
【符号の説明】
【００６９】  Ａ・・・取付け装置
Ｂ・・・間隙
Ｃ・・・区画
Ｄ・・・間隙
１・・・遊技機
２・・・装着枠
４・・・遊技機島
５・・・上架板
６・・・下架板
７・・・縦部材
８・・・枠上板
９・・・枠下板
１０・・・位置決め装置
１６・・・押圧板
１７・・・上下位置調整手段
１８・・・押圧手段
１９・・・規制手段
２０・・・押圧面
２１・・・滑り止め
２２・・・テーパー状
２３・・・ケース本体
２４・・・リンク部材
２６・・・ナット部材
２７・・・操作ボルト
４７・・・カム
４８・・・案内溝
５４・・・操作部
７３・・・規制ボルト
７９・・・頭部
８０・・・凹部
８１・・・リンク部材
８２・・・ケース本体
８４・・・押しボルト
８５・・・ナット
８７・・・弾機手段
【図１】
2012254268.tif 000003
【図２】
2012254268.tif 000004
【図３】
2012254268.tif 000005
【図４】
2012254268.tif 000006
【図５】
2012254268.tif 000007
【図６】
2012254268.tif 000008
【図７】
2012254268.tif 000009
【図８】
2012254268.tif 000010
【図９】
2012254268.tif 000011
【図１０】
2012254268.tif 000012
【図１１】
2012254268.tif 000013
【図１２】
2012254268.tif 000014
【図１３】
2012254268.tif 000015
【図１４】
2012254268.tif 000016
【図１５】
2012254268.tif 000017
【図１６】
2012254268.tif 000018
【図１７】
2012254268.tif 000019
【図１８】
2012254268.tif 000020
【図１９】
2012254268.tif 000021
【図２０】
2012254268.tif 000022